(57)【特許請求の範囲】
【請求項１】
画像データの記憶媒体として半導体メモリを搭載している記録装置における画像データの退避方式であって、
揮発性の画像データ循環記録用メモリと前記画像データ循環記録用メモリに記録されたデータの保存先として、電気的に書込み／読み出し可能でかつ不揮発性の画像データ退避用メモリとを備え、
前記画像データ循環記録用メモリの記憶容量は、前記画像データ退避用メモリの記憶容量よりも大きくて成り、
所定のトリガ信号に基づき、前記画像データ循環記録用メモリへのデータの書込みを禁止する制御手段を有しており、
前記画像データ循環記録用メモリは、少なくとも二つ以上の記録領域に区分けされるとともに、前記画像データ循環記録用メモリの区分けされた一つ一つの記録領域にて、前記制御手段の制御下で、画像データを循環記録し得るよう構成されている録画装置において、
前記画像データ循環記録用メモリの区分けされた記録領域のうち、一つの記録領域にて画像データが循環記録されている際にトリガ信号が発生し、該トリガ信号発生の所定時間後、前記制御手段が前記画像データ循環記録用メモリへのデータの書込みを禁止した状態になったとき、前記画像データ循環記録用メモリが書込み禁止になるまで、画像データを循環記録していた該一つの記録領域に記録された画像データを、前記画像データ退避用メモリへコピーするか否かを所定の判断基準に基づいて判断する画像重要度判断手段を設け、
前記画像重要度判断手段の判断基準を録画装置のユーザが選択し得る画像重要度判断基準選択スイッチユニットを設けた画像メモリボードにおける画像データ退避方式。
【請求項２】
前記画像データ循環記録用メモリが書込み禁止になるまで、画像データを循環記録していた該一つの記録領域に記録された画像データを前記画像データ退避用メモリへコピーするか否かの判断を前記画像重要度判断手段が行う際には、
前記画像重要度判断手段が該判断を行う時点で前記画像データ退避用メモリに画像データを退避させている前記画像循環記録用メモリの区分けされた記録領域に記録されている画像データの一部または全部の変化と、
前記画像データ循環記録用メモリが書込み禁止になるまで、画像データの循環記録が成されていた該一つの記録領域に記録された画像データの一部または全部の変化と、を比較して画像重要度を判断するものであることを特徴とする請求項１の画像メモリボードにおける画像データ退避方式。
【発明の詳細な説明】
【０００１】
【発明の属する技術分野】
本発明は、画像データ循環記録用の揮発性の半導体メモリと前記画像データ循環記録用の半導体メモリに記録された画像データの退避用の不揮発性の半導体メモリとを備えた録画装置である画像メモリボードにおける画像データ退避方式に関する。なお、以後、半導体メモリのことを単にメモリと称することにする。
【０００２】
【従来の技術】
近年、画像データの記録媒体として、ビデオテープのような磁気媒体ではなく、メモリが使用されることも多くなってきている。メモリ、代表的にはＤＲＡＭ（ダイナミックラム）は、寿命（書込み／読み出し可能回数）が非常に長く、画像データを繰り返し上書き／読み出ししても画質が劣化しないなどの特長があるからである。
しかし、メモリ（ＤＲＡＭ）は、ビデオテープなどに比べて、録画可能時間が桁違いに短いという難点がある。そこで、画像記録においてメモリを使用する場合は、メモリの容量一杯までデータを記録したら、該メモリの先頭のアドレスに戻って記録をし続ける、いわゆるリングメモリとして使うことが普通である。
つまり、リングメモリでは、今書込もうとしている画像データは、以前格納したデータの上に次々と上書きされていく。何らかのトリガ信号、例えばリミットスイッチのようなセンサからのアラーム信号に基づき、リングメモリへの画像データの記録（書き込み）が禁止されれば、リングメモリに記録されたデータが確定し、画像データを読み出す（再生するないし出力する）ことができる。
【０００３】
このような画像データ記録装置、すなわち画像メモリボードにおいては、画像データ循環記録用のメモリとして、揮発性のメモリであるＤＲＡＭを使うことが一般的である。また、画像メモリボードには、画像データ退避用の不揮発性のメモリを具備させることが望ましい。電源が供給されない状態（例えば停電）になると、ＤＲＡＭに記録されたデータは、消えてしまうからである。この不揮発性メモリには、通常、電気的に書込み／読み出しが可能なフラッシュメモリが使用される。
【０００４】
ここでは、画像データ循環記録用メモリとして最も一般的なＤＲＡＭを揮発性のメモリを代表させて、画像データ退避用メモリとして最も一般的なフラッシュメモリを不揮発性のメモリを代表させて、説明を続ける。ＤＲＡＭの容量は、フラッシュメモリよりもかなり大きいのが普通である。通常市販されているＤＲＡＭの容量は、フラッシュメモリの数倍あるものと考えてよい。現時点で量産され安定的に供給されているＤＲＡＭ及びフラッシュメモリの容量は、ＤＲＡＭは８Ｍバイト、フラッシュメモリは２Ｍバイトないし１Ｍバイトあたりが普通である。従って、ＤＲＡＭの容量が８Ｍバイト、フラッシュメモリの容量が２Ｍバイトの例で言えば、ＤＲＡＭに記録されたデータを全てフラッシュメモリへ退避させようとするなら、４個のフラッシュメモリを画像メモリボードに設けなければならないことになる。つまり、画像メモリボードの価格が高いものになる。
【０００５】
画像データ退避用のフラッシュメモリに書込まれる画像データは、循環記録用のＤＲＡＭに電源が供給されなくなったときのバックアップデータであり、通常の状態では、必要ないものである。画像メモリボードの電源が落ちた非常の場合になって、初めてフラッシュメモリに退避させている画像データが活きてくる。要するに、滅多に無い状態に備えて、ＤＲＡＭよりも価格の高いフラッシュメモリを画像データ退避用メモリとして４個も備えることは、非現実的である。
【０００６】
もちろん、フラッシュメモリと同等の容量のＤＲＡＭを循環記録用メモリとして使ってもいいのであるが、画像データ循環記録用のメモリは、少しでも容量が大きいもののほうが好ましいので、容量の小さいＤＲＡＭを使うのは、問題がある。
【０００７】
そこで、従来、画像メモリボードにおける画像データの循環記録と画像データの退避は、ＤＲＡＭをフラッシュメモリと同等の容量の例えば四つの領域に分けて、そのうち一つの領域（領域Ａとする）において、画像データの循環記録を行うようにしていた。外部の機器からのトリガ信号が発生すると、領域Ａは、書込み禁止とされる。そして、領域Ａに記録された画像データは、フラッシュメモリへ退避させられる。領域Ａまたはフラッシュメモリに記録された画像データが外部へ伝送（読み出し）されない場合、つまり、ユーザ不在などの事情により、所定の操作が為されない場合、次の画像データの循環記録は、ＤＲＡＭの四つに分けられた領域の第二番目の領域Ｂで行われる。トリガ信号が発生し、領域Ｂが書込み禁止となると、次は領域Ｃにて、その次は領域Ｄにて、画像データの循環記録が行われる。さらに所望なら、次のトリガ信号発生に備えて、領域Ａにて画像データの循環記録を行ってもよい。領域Ａの画像データは、フラッシュメモリに退避させてあるから、最初のトリガ信号に対応した画像データがなくなってしまうことはない。
【０００８】
このように、従来は、画像メモリボードが働き始めてから、最初のトリガ信号発生により、書込み禁止領域となったＤＲＡＭの領域Ａに記録された画像データがフラッシュメモリに退避させられるのが常識であった。もちろん、画像データの循環記録の領域が移るたびに、直前の循環記録の領域のデータをフラッシュメモリにコピーしておくという手も考えられる。つまり最近のトリガ信号発生に起因する画像データをフラッシュメモリに退避させるという考え方である。このように、従来、トリガ信号が２度以上発生して、循環記録するべきＤＲＡＭの領域が移り変わった場合、フラッシュメモリに退避させるべき領域は、特には定まっていなかった。つまり、ＤＲＡＭの各領域に記録された画像データの価値判断は行っていなかったので、肝心のデータ、つまり、最も重要だと推測される画像データがフラッシュメモリに保存されていないことがあった。
【０００９】
【発明が解決しようとする課題】
本発明は、従来の技術の有する問題点に鑑み為されたもので、画像データ循環記録用のメモリを二つ以上の記録領域に分けて画像データが循環記録されている場合において、トリガ信号が２度以上発生、つまり画像データ循環記録動作が２度以上実行され、画像データ循環記録用のメモリが２度以上記録禁止状態とされた場合でも、画像データ循環記録用のメモリの各記録領域に記録された各画像データのうち、最も重要だと類推ないし推測される画像データを画像データ退避用のメモリへ保存しておくことができる画像メモリボードにおける画像データ退避方式を提供することにある。
【００１０】
【課題を解決するための手段】
本発明に係る画像メモリボードにおける画像データの退避方式は、画像データの記憶媒体としてメモリを搭載している録画装置において、上記課題を解決したもので、次のような構成の画像メモリボード（すなわち画像データの記録装置）において適用できる。
【００１１】
先ず、請求項１の構成を説明する。
画像メモリボードは、揮発性の画像データ循環記録用メモリと前記画像データ循環記録用メモリに記録されたデータの保存先として、電気的に書込み／読み出し可能でかつ不揮発性の画像データ退避用メモリとを備えている。
前記画像データ循環記録用メモリの記憶容量は、前記画像データ退避用メモリの記憶容量よりも大きいものが使われている。
また、画像メモリボードは、所定のトリガ信号に基づき、前記画像データ循環記録用メモリへのデータの記録を禁止する制御手段を有している。
前記画像データ循環記録用メモリは、少なくとも二つ以上の記録領域に区分けされる。画像メモリボードにおける画像データの循環記録は、この前記画像データ循環記録用メモリの区分けされた一つ一つの記録領域にて、前記制御手段の制御下にて行われる。
【００１２】
このような構成の画像メモリボードにおいて、前記画像データ循環記録用メモリの区分けされた記録領域のうちの一つの記録領域にて、画像データが循環記録されている際に、何回目かのトリガ信号が発生したものとする。
該トリガ信号発生の所定時間後、前記制御手段は、前記画像データ循環記録用メモリへのデータの書込みを禁止する。
画像メモリボードは、前記制御手段が前記画像データ循環記録用メモリを書込み禁止にするまで画像データの循環記録が成されていた該記録領域に記録された最近の画像データを前記画像データ退避用メモリへコピーするか否かを所定の判断基準に基づいて判断する画像重要度判断手段を具備している。
また、画像メモリボードには、画像重要度判断手段の判断基準を画像メモリボードのユーザが選択し得る画像重要度判断基準選択スイッチユニットをも具備させる。
【００１３】
次に請求項２の構成を説明する。請求項２の発明は、請求項１において、前記制御手段が前記画像データ循環記録用メモリを書込み禁止にするまで画像データの循環記録が成されていた該記録領域に記録された最近の画像データを前記画像データ退避用メモリへコピーするか否かの判断を前記画像重要度判断手段は、画像データの比較を行うことによって行うものである。すなわち、画像データ重要度判断手段が該判断を行う時点において、画像データ退避用メモリに画像データを退避させている記録領域（Ａと名づける）がある。その前記画像データ退避用メモリに画像データを退避させている前記画像循環記録用メモリの区分けされた記録領域（Ａ）に記録されている画像データの一部または全部と、前記制御手段が前記画像データ循環記録用メモリを書込み禁止にするまで画像データの循環記録が成されていた該記録領域に記録された最近の画像データの一部または全部と、を読み出して比較するものであることが画像重要度判断の特徴である。
【００１４】
【発明の実施の形態】
画像メモリボードは、（画像データ）循環記録用の揮発性メモリとして８Ｍバイト（６４Ｍビット）のＤＲＡＭ、画像データ退避用の不揮発性メモリとして２Ｍバイト（１６Ｍビット）のフラッシュメモリを搭載することができる。現時点では、標準的なメモリ容量の画像メモリボードであると言える。このＤＲＡＭは、２Ｍバイトずつ、四つの領域（各領域を使用順にＡ、Ｂ、Ｃ、Ｄと名づける）に区分けする。画像データ退避用のフラッシュメモリの容量が２Ｍバイトであるから、四つの領域に分けるのが合理的である。画像メモリボードにビデオカメラ、センサ等の所定の機器が接続され、電源が入れられると、画像メモリボードは、ＤＲＡＭの四つに区分けされた領域のうちの一つの領域Ａで画像データの循環記録を開始する。外部トリガ信号、つまりセンサの検知信号を制御手段が認識すると、制御手段は、外部トリガ信号認識の所定時間後に、ＤＲＡＭを書込み禁止とする。画像データ重要度判断手段は、領域Ａには、今まで循環記録していた画像データが記録されていること、そして、他の領域には、画像データが記録されていないことを認識することができるので、領域Ａに記録されている画像データをフラッシュメモリへコピーする。
【００１５】
次に、画像メモリボードは、画像データ循環記録を再び開始、つまりＤＲＡＭの書込み禁止状態を解除するわけだが、このとき、ＤＲＡＭの四つに分けられた領域の内の領域Ａまたは領域Ｂを画像データ循環記録の領域として選ぶ。領域Ａの画像データは、既にフラッシュメモリへ退避させているので、領域Ａを選んでも良いのだが、後述するように、領域Ａの画像データを残しておいたほうが好ましいので、ここでは領域Ｂを選んだものとする。当然、領域Ａには画像データがそのまま残っている。画像メモリボード（の制御手段）は、第２回目の外部トリガ信号発生に備えて、２回目の画像データ循環記録に入る。２回目の外部トリガ信号が発生すると、所定時間後、ＤＲＡＭは書込み禁止となる。画像重要度判断手段は、請求項２に記載したように、領域Ａの画像データと領域Ｂの画像データとを読み込んで比較し、所定の判断基準に従い、領域Ｂの画像データをフラッシュメモリへコピーするかどうか決定する。ここでは、コピーしなかったものとする。領域Ａの画像データとフラッシュメモリの画像データは、同一であるが、フラッシュメモリから画像データを読み出すよりも、ＤＲＡＭから画像データを読み出すほうが好ましいので、領域Ａの画像データは、残しておいたほうがよいわけである。
【００１６】
次に、画像メモリボードは、ＤＲＡＭの領域Ｃで３回目の画像データの循環記録を行う。外部トリガ信号が発生し、所定時間後、ＤＲＡＭが書込み禁止となると、画像重要度判断手段は、領域Ａの画像データと領域Ｃの画像データを比較し、所定の判断基準に従い、領域Ｃの画像データをフラッシュメモリにコピーするか否かを判断する。ここでは、コピーしたものとする。
【００１７】
次に、画像メモリボードは、ＤＲＡＭの領域Ｄで４回目の画像データの循環記録を行う。外部トリガ信号が発生し、所定時間後、ＤＲＡＭが書込み禁止となると、画像重要度判断手段は、領域Ｃの画像データと領域Ｄの画像データを比較し、所定の判断基準に従い、領域Ｄの画像データをフラッシュメモリにコピーするか否かを判断する。ここでは、コピーしたものとする。すると、フラッシュメモリには、画像重要度判断手段が所定の基準（ここでは請求項２で記載したように画像データの比較参照）に基づき、最も重要だと判断した画像データ（領域Ｄのデータである）が記録されることになる。
なお、５回目の画像データ循環記録を（領域Ａまたは領域Ｄで）行うかどうか、さらに、６回目の画像データの循環記録を、ＤＲＡＭの四つに区分けされた領域のうちの一つの記録領域で以前の画像データに上書きして行うかどうかは、当業者の設計上の選択事項である。
【００１８】
画像重要度判断手段の判断基準は、画像メモリボードの使用状況や使用目的によって、種々考えられので、画像重要度判断手段の判断基準は、外部から何らかの指示をしてやらなけらばならない。そこで、画像メモリボードは、画像重要度判断基準選択スイッチユニットを具備している。このスイッチユニットという表現は、少なくとも一つ以上のスイッチが画像重要度判断手段へ指示を送るために設けられているという意味である。
【００１９】
例えば、二つの（記録）領域のトリガ信号の前後の画面を比較し、より変化が大きい記録領域のほうを重要と判断する指示を送るためのスイッチと、画像データ循環記録中に外部トリガが発生し、ＤＲＡＭが書込み禁止となるまでの間に、トリガ信号がより多く発生したほうを重要と判断するスイッチなどが画像重要判断基準選択スイッチとして設けることが考えられる。
【００２０】
【実施例】
図１は、本発明に係る画像メモリボードにおける画像データ退避方式の一実施例を示すブロック図である。画像メモリボード９には、ビデオカメラ７などの撮像手段、非常事態発生を検出するセンサ８を接続しておく。図１では、ビデオカメラ７及びセンサ８は、それぞれ１個ずつしか示していないが、複数のビデオカメラ及びセンサを設けてもよい。
【００２１】
画像メモリボード９は、通常、画像圧縮手段６と画像伸張手段７を有している。画像圧縮手段６は、絶対に必要というわけではないが、圧縮されていない画像データは、膨大なデータ量となるので、設けておくことが現実的である。画像圧縮手段としては、市販のＪＰＥＧのＩＣチップを利用できる。
画像伸張手段７の出力は、Ｉ／Ｏ１０を介して、ＶＴＲなどの記憶装置やモニタなどの再生装置、すなわち外部機器（図示せず）へ伝送される。
【００２２】
画像メモリボード９に電源が投入されると、画像メモリボード９は、制御手段３の管理下において、センサ８が発する１回目のトリガ信号に備えて、画像データ循環記録用のＤＲＡＭ５の区分けされた領域の一つである領域Ａ（５ａ）にて、画像データの循環記録を行う。ＤＲＡＭ５をいくつの領域に区分けするかは、ＤＲＡＭの容量と画像データ退避先のフラッシュメモリ４の容量を勘案して決めればよい。
【００２３】
（外部）トリガ信号が発生し、制御手段（ＣＰＵ）３がその事を認識すると、それから所定時間後、制御手段３は、ＤＲＡＭ５を書込み禁止とする。もちろん、前記所定時間には、０も含まれる。なお、前記所定時間は、トリガ信号以前の画面（つまり画像データ）が少なくとも１枚以上、上書きされずに残っている時間にすることは、技術常識である。１回目のトリガ信号が発生すると、領域Ａには、１回目のトリガ信号に起因する画像データが残される。この画像データを退避させるかどうかは、画像重要度判断手段１が決定する。この領域Ａに記録された画像データは、領域Ｂ、領域Ｃ及び領域Ｄのデータ（この段階では無意味なデータが入っている）よりも重要度であることは明らかなので、フラッシュメモリ４にコピーされる。
【００２４】
画像重要度判断手段１は、ＣＰＵ３、ＲＯＭ１１及びＲＡＭ１２から構成される。ＲＯＭ１１には、画像データ重要度の判断基準及び画像データ重要度の判断手順に関するプログラムが書き込まれている。ＲＡＭ１２は、ワークエリアとして使用する。画像重要度判断手段スイッチユニット２からの指示は、このＲＡＭ１２の所定の領域に書込まれるわけである。
なお、制御手段（ＣＰＵ）３とは別個に、画像重要度判断手段１を設けることも可能であるが、既存のＣＰＵを利用して画像重要度判断手段１を構成するほうが合理的である。
【００２５】
外部トリガ信号が発生する毎に、画像データ循環記録領域は、領域Ａ、領域Ｂ領域Ｃそして領域Ｄへ順に移っていく。画像重要度判断手段１は、画像メモリボード９が次の画像データ循環記録すべき領域で画像データの記録を開始する前に、外部トリガ信号が発生したときに画像データを循環記録していた領域の画像データとフラッシュメモリ４に画像データを退避させている領域の画像データを所定の判断基準により比較して、外部トリガ信号が発生したときに画像データを循環記録していた領域の画像データをフラッシュメモリ４にコピーするか否かを判断する。すなわち、結果として、勝ち抜き戦のような形で、フラッシュメモリ４には、いつも、画像重要度判断手段がその時点で最も重要な画像データだと判断した、トリガ信号に起因した画像データが残ることになる。フラッシュメモリ４は、不揮発性のメモリなので、画像データは、バックアップされることになる。
【００２６】
画像重要度判断手段１への画像重要度判断基準の指令は、Ｉ／Ｏ１０を介して画像重要度判断手段スイッチユニット２により行われる。図１では、画像重要度判断手段スイッチユニット２は、三つの押しボタンスイッチ（２ａ、２ｂ、２ｃ）で構成したことを示している。
何を画像重要度の判断基準とするかは、当業者の設計上の選択事項であるが、トリガ信号発生の前後の画面を１枚ないし数枚読み出して、その変化を診ることによって、所定の判断を下すということが常識的である。当然変化が大きい方が重要だと判断されるべきである。
なお、判断を下すまでに時間は掛かるが、比較すべき二つの領域の全部の画像データを読み出して比較参照して、画像重要度を判断しても良いことはもちろんである。
【００２７】
図２は、本発明に係る画像メモリボードにおける画像データ退避方式の一実施例を示すブロック図である。画像重要度判断手段スイッチユニット２のスイッチには、スライドスイッチ２ｄを採用した。画像重要度判断基準の種類は、イ、ロ、ハ及びニの４種類を用意した。スライドスイッチ２ｄを所定の位置にセットすることによって、ユーザは、画像重要度の判断基準を選択することができる。符号イの判断基準は、例えば、（外部）トリガ信号発生から、ＤＲＡＭ５が書込み禁止となるまでのトリガ信号の発生回数と発生時刻を画像重要度の判断基準とする。トリガ信号発生からＤＲＡＭ５が書込み禁止となるまでの間、トリガ信号が発生した回数が多いほど、また、（例えば記録禁止までにトリガ信号が２回発生したとして）トリガ信号の発生の間隔が長いほど、画像重要度が高いものと判断できる。また、ＤＲＡＭ５が書込み禁止となった後に、トリガ信号が発生したどうかを画像重要度の判断基準に加えても良い。
【００２８】
符号ロの画像重要度判断基準は、該領域の中の最も古い画面と最も新しい画面を読み出して、その差を検討することによって、画像重要度を判断するということにすることができる。
符号ハの画像重要度判断基準は、トリガ信号の前後の画面の差を検討するというもので、最も標準的な画像重要度判断方式と言える。
符号ニは、上記３種類の画像重要度の判断基準を総合的に検討する方式にしてもよい。
【００２９】
画像重要度の判断基準は、当業者が用意するものであるが、その選択は、現場のユーザが用途に応じて指定することができる。図２では、領域Ａ及び領域Ｂは、既に書込み禁止領域となっており、３回目の画像データ循環記録動作が領域Ｃで行われたことを示している。フラッシュメモリ４には、領域のＡのデータαが退避させてあるものとする。画像重要度判断基準選択スイッチユニット２のスライドスイッチ２ｄは、上述した符号ロを指している。外部トリガ信号により、ＤＲＡＭ５が書込み禁止となると、制御手段３は、領域Ａの最初の画面と最後の画面を読み出して、画像重要度判断手段１へ転送する。画像重要度判断手段１は、その相違を検討し、所定の数値を出す。また、制御手段３と画像重要度判断手段１は、同様のことを領域ＣのデータＹに対しても行う。結果、画像重要度判断手段１は、領域ＣのデータＹの方が重要な画像データだと判断したので、その旨を制御手段３へ知らせる。
【００３０】
制御手段３は、領域ＣのデータＹをフラッシュメモリ４へコピーする。フラッシュメモリ４には、領域ＣのデータＹが退避させられたことになる。当然、次の画像データの循環記録の動作は、領域Ｄで行われる。次の画像データの重要度の判断は、領域ＣのデータＹと領域Ｄに記録される画像データとで行われる。
【００３１】
【発明の効果】
本発明に係る画像メモリボードにおける画像データの退避方式は、以上説明したように構成されているので、次に記載する効果を奏する。画像データ循環記録用のＤＲＡＭ５を二つ以上の領域に分け、画像データ退避用のフラッシュメモリ４にＤＲＡＭ５の分けられた領域のうち、一つの領域の画像データしかコピーできないとき、画像重要度判断基準選択スイッチユニット２で、ユーザが画像重要度判断基準を選択することができる。画像重要度の判断基準は、種々の信号（例えば外部トリガ信号）を加味して行うことができ、それらを画像重要度判断基準選択スイッチユニット２の操作によって指定することができる。また、画像重要度判断手段１は、画像データの循環記録が行われたばかりのＤＲＡＭ５の分けられた一つの領域の画像データとフラッシュメモリ４に退避させてある画像データを持っている他の分けられた一つの領域の画像データとを比較し、より重要な方をフラッシュメモリ４に退避させることもできるので、不揮発性のメモリであるフラッシュメモリ４には、最も重要な画像データが常に記録されていることが高い確率で期待できる。
【図面の簡単な説明】
【図１】  本発明に係る画像メモリボードにおける画像データ退避方式の一実施例を示すブロック図
【図２】  本発明に係る画像メモリボードにおける画像データ退避方式の一実施例を示すブロック図
【図１】
0003799566.tif 000002
【図２】
0003799566.tif 000003